(57)【特許請求の範囲】
【請求項１】
大気圧の領域に配置され試料をイオン化するイオン源と、リング電極と２つのエンドキャップ電極とを備え前記イオン源からのイオンを質量分析する真空領域に配置された質量分析計と、前記大気圧の領域と前記真空領域との間に配置された差動排気部と、前記大気圧の領域と前記差動排気部との間に配置され前記イオン源からの前記イオンを前記差動排気部に導入する開口部を有する第１の電極と、前記差動排気部と前記真空領域との間に配置され前記差動排気部からのイオンを前記質量分析計に導入する開口部を有する第２の電極と、前記第１の電極と前記第２の電極との間にドリフト電圧を印加する電源とを有し、前記ドリフト電圧をΔＶ変化させた場合、正イオンを分析する場合には前記第２の電極に印加する電圧を、ΔＶに所定の負の係数Ｃを掛けた分変化させ、負イオンを分析する場合には前記正イオンを分析する場合とは正負の関係を逆になるように前記第２の電極に印加する電圧を変化させて、前記ドリフト電圧に対応して前記第２の電極に印加する電圧が設定されることを特徴とする質量分析装置。
【請求項２】
請求項１に記載の質量分析装置において、前記所定の負の係数Ｃが−１／２であることを特徴とする質量分析装置。
【請求項３】
請求項１に記載の質量分析装置において、前記エンドキャップ電極に印加する電圧をＶ、前記第２の電極に印加する電圧をＶとする時、正イオンを分析する場合にはＶ＜Ｖとし、負イオンを分析する場合にはＶ＞Ｖとし、イオンを減速させてイオントラップ質量分析計に入射させることを特徴とする質量分析装置。
【発明の詳細な説明】
【０００１】
【発明の属する技術分野】
本発明は溶液中の物質を分析する質量分析計及び液体クロマトグラフなどの液相での分離手段と質量分析計とを結合した装置に関する。
【０００２】
【従来の技術】
現在、分析の分野では、溶液中の化学物質の高感度検出法が重要視されている。例えば、環境問題への関心の高まりとともに、水道水に含まれる化学物質に対して規制が年々強化されている。このため、規制や監視の対象となる物質が増加し、各々の物質の基準値も引き下げられる傾向にある。質量分析計（Mass Spectrometer、以下ではＭＳと略する）は感度も高く物質の同定能力に優れることから、このような溶液中の化学物質の分析に有効である。特に、混合物の分析では、液体クロマトグラフ（Liquid Chromatograph、以下ではＬＣと略する）やキャピラリー電気泳動（Capillary Electrophoresis、以下ではＣＥと略する）などの液相での分離手段とＭＳとを結合した装置が極めて有効であると期待されている。
【０００３】
図５により、アナリティカル  ケミストリー、６２巻、１２８４頁、１９９０年（Analytical Chemistry, 62, 1284 (1990)）に記載されている従来のイオントラップ質量分析計を説明する。各々の電極に印加される電圧の極性は、分析するイオンの極性に応じて選択される。簡単のため、以下では正イオンを分析する場合を記載する。試料溶液は、送液ポンプ１、配管２を介して金属管３に導入される。金属管３に、対向する電極４に対して数キロボルトの正の電圧を印加すると、試料溶液は金属管３末端から静電噴霧される。噴霧で生成した液滴中には分析対象物質に関連した正イオンが多く含まれる。液滴は大気中を飛翔する間に乾燥するので、ガス状のイオンが生成される。この様にして生成されたイオンは、第一細孔５、排気系６ａで排気された差動排気部７、第二細孔８を介して排気系６ｂで排気された真空部２０へと取り込まれる。第一細孔の開口する電極４と第二細孔が開口する電極８との間にはドリフト電圧と呼ばれる電圧が印加される。ドリフト電圧には、イオンを加速して残留しているガス分子と衝突させることによりイオンに付着している溶媒分子を除去する効果と、イオンの第二細孔の透過率を向上させる効果がある。第二細孔の開口する電極８は接地される。イオンを収束させるため、差動排気部７および真空部２０には静電レンズ１０ａ、１０ｂが配置されている。イオントラップ質量分析計１１は２枚のエンドキャップ１２ａ、１２ｂとリング電極１３とから構成される。リング電極１３に高周波電圧を印加し、質量分析計内部２１にイオン閉じ込めのポテンシャルを形成する。質量分析計内部２１は衝突ガスと呼ばれるヘリウムが導入され、1／１０3torr程度の圧力に保たれている。イオン取り込み口１４から入射したイオンは、ヘリウムと衝突してエネルギーを失い、閉じ込めポテンシャルにより質量分析計内に閉じ込められる。一定時間イオンを蓄積した後、リング電極１３に印加する高周波電圧を変え、質量分析計内のイオン軌道を不安定化させてイオンをイオン排出口１５より排出させる。軌道が不安定となる条件はイオンの分子量を電荷で割った値（以下、ｍ／ｚと記載する）により異なるため、イオンのｍ／ｚに関する情報が得られる。排出されたイオンは検出器１６により検出され、検出された信号はデータ処理装置により処理される。
【０００４】
【発明が解決しようとする課題】
従来のイオントラップ質量分析計では、ドリフト電圧を高くするとイオンの検出感度が低下するという問題点があった。ぺプチドなどの極性の高い物質のイオンは、水などの溶媒分子を多数付着させているので、これらの溶媒分子を効果的に除去するには高いドリフト電圧が必要である。従って、従来のイオントラップ質量分析計ではぺプチドなどの高極性物質を高感度で分析できなかった。
【０００５】
この原因は次のように考えられる。イオントラップ質量分析計では、イオンを質量分析計内に蓄積する必要性から、質量分析計へ入射するイオンのエネルギーが重要である。入射したイオンは質量分析計内で衝突ガスとの衝突によりエネルギーを失い質量分析計内に蓄積されるが、イオンの入射エネルギーが高過ぎると、衝突ではエネルギーを奪いきれずに質量分析計を通過してしまう。イオンの入射エネルギーは第二細孔の開口する電極の電位とイオン取り込み口の開口するエンドキャップの電位との差で与えられると考えられていたので、従来のイオントラップ質量分析計ではこの電位を共に接地電位とし、差を無くすることによりイオンの入射エネルギーをほぼゼロの状態で質量分析計に入射させていた。しかしながら、実際にはイオンは第二細孔を通過する時点でドリフト電圧によりある程度加速されていると考えられる。差動圧力部の真空度が悪く、イオンは残留しているガス分子と頻繁に衝突するため、第二細孔通過時のエネルギーを正確に求めることは難しいが、イオンの入射エネルギーがドリフト電圧に依存している可能性がある。従って、ドリフト電圧を高くすると、イオンの入射エネルギーが高くなるためイオンの閉じ込め効率が悪くなり、結果として感度が低下してしまう。
【０００６】
差動排気部を有する質量分析計において、高極性物質の高感度検出のためには高いドリフト電圧が必要である。本発明の目的は、高いドリフト電圧を使用できるイオントラップ質量分析計を実現し、ひいてはぺプチドなどの高極性物質の検出感度を向上させることである。
【０００７】
【課題を解決するための手段】
本発明では、第二細孔の開口する電極とイオン取り込み口の開口するエンドキャップとの間にイオンを減速する電位差を設けることにより前記課題を解決する。また、ドリフト電圧を変えた際に、イオン入射エネルギーを一定に保つよう前記電位差を制御することにより、ドリフト電圧を変えた場合でも強いイオン強度が得られる。
【０００８】
【発明の実施の形態】
図１は本発明の実施の形態を示す図である。各々の電極に印加される電圧の極性は、分析するイオンの極性に応じて選択される。簡単のため、以下では正イオンを分析する場合を記載する。試料溶液は送液ポンプ、配管を介して外径約０．４mmのステンレス管３に導入される。金属管３には約３．５キロボルトの電圧が印加される。静電噴霧により生成されたイオンは、内径約０．３mmの第一細孔５、排気系で約０．８torrに排気された差動排気部７、内径約０．３mmの第二細孔８を介して排気系で約８×１／１０6torrに排気された真空部へと取り込まれる。イオンが細孔を介してより圧力の低い領域に引き込まれる際に断熱膨張により冷却されイオンに溶媒分子が付着する、いわゆるクラスタリングを防止するため、第一細孔の開口する電極４と第二細孔の開口する電極９は約１００℃に加熱されている。第一細孔の開口する電極４と第二細孔の開口する電極９との間には数十ボルトのドリフト電圧を印加する。ドリフト電圧の影響で加速されたイオンを減速し、低い入射エネルギーで質量分析計に導入するため、第二細孔の開口する電極９にはイオン取り込み口１４の開口するエンドキャップ１２ａよりも低い電圧を印加する。すなわち第二細孔の開口する電極９に印加する電圧をＶ、イオン取り込み口の開口するエンドキャップ１２ａに印加する電圧をＶ’とした場合、Ｖ＜Ｖ’とする。イオントラップ質量分析計ではＶ’は０ボルトである場合が多い。本実施例に用いた装置でもＶ’を０Ｖとしたので、Ｖ＜０、すなわち第二細孔に開口する電極８に負の電圧を印加する。正のイオンを質量分析計に入射させるにもかかわらず、第二細孔が開口する電極８の電圧よりもイオン取り込み口の開口するエンドキャップの電圧１２ａを高くすることが本発明の特徴である。ＶとＶ’との間の電位差で減速されたイオンは、低い入射エネルギーで質量分析計に入射する。イオンは質量分析計内２１で衝突ガスと衝突し、エネルギーを失い閉じ込められる。イオンの入射エネルギーが低いので、イオンの閉じ込め効率が向上する。静電レンズ１０ｃとイオントラップ質量分析計１１との間に設けられたゲート電極１７は、イオンの入射を制御する役目がある。図２に、リング電極１３とゲート電極１７に印加される電圧の関係を１スキャン分示す。イオン蓄積時にはゲート電圧を下げてイオンを通過させるが、リング電極１３に印加する高周波電圧を変えて質量分析計内部のイオンの質量分析を行うスキャンのタイミングではゲート電圧を上げてイオンのさらなる入射を防止する。本発明により、ドリフト電圧の影響で加速されたイオンを減速してから質量分析計に導入するので、高いドリフト電圧を用いてもイオンを効率よくイオントラップ質量分析計に閉じ込めることが可能となった。従って、ぺプチドなどの高極性物質を高いドリフト電圧の条件で分析でき、検出感度が向上した。
【０００９】
エンドキャップには、分解能を向上させる目的や重いイオンを排出させる目的で、直流や交流の電圧が印加される場合がある。また、この電圧はイオン蓄積時とスキャン時とでは異なる場合がある。このような場合、上記のＶ’はイオン蓄積時にエンドキャップに印加される電圧の直流成分を意味する。
【００１０】
図３は本発明の効果を説明するグラフである。静電噴霧法によりぺプチドの一種であるグラミシジンＳ（分子量１１４０）のプロトン付加した２価イオン（ｍ／ｚ＝５７１）を生成し、第二細孔の開口する電極の電圧をパラメータとして、イオントラップ質量分析計で観測されるイオン強度とドリフト電圧との関係を調べたものである。分析条件を以下に示す。溶媒は水、メタノール、ギ酸を５０：５０：０．５の比率で混合したものを用いた。試料濃度は５×１／１０6mol/l、試料溶液の流量は流量３μl/minとした。静電レンズを構成する電極には、各々−４００ボルト、−２００ボルト、−４００ボルトを印加した。エンドキャップに印加する電圧の直流成分は０ボルトとした。第二細孔が開口する電極の電圧を０ボルト、すなわち、第二細孔が開口する電極とエンドキャップとを同じ電圧に設定した場合、ドリフト電圧１０ボルト（すなわち、第一細孔の開口する電極に＋１０ボルトを印加した場合）でイオン強度が最大になった。一方、第二細孔の開口する電極の電圧を−５ボルトに設定した場合はドリフト電圧２０ボルト（すなわち、第一細孔の開口する電極に＋１５ボルトを印加した場合）、また、第二細孔の開口する電極の電圧を−１０ボルトに設定した場合はドリフト電圧３０ボルト（すなわち、第一細孔の開口する電極に＋２０ボルトを印加した場合）でイオン強度が最大となったが、これらの条件で得られたイオン強度は第二細孔が開口する電極の電圧を０ボルトとした場合に得られたイオン強度の約２倍である。このように、ぺプチドの正イオンの検出において、第二細孔の開口する電極に負の電圧を印加することによりイオン強度が増加することが確認された。
【００１１】
最適なドリフト電圧は、差動排気部の真空度などの装置パラメータや試料により異なる。本発明の装置でグラミシジンＳを分析する場合、２０ボルトから３０ボルト程度のドリフト電圧が適している。しかし、図３から明らかなように、従来の方法では２０ボルトから３０ボルトというドリフト電圧では、イオン強度が減少し高感度分析が困難であった。
【００１２】
分析対象とする試料物質に応じてドリフト電圧の最適値を探さなければならないが、イオンのエネルギーがドリフト電圧に応じて変わるので、ドリフト電圧を最適化する場合には第二細孔の開口する電極に印加する電圧も検討しなければならない。本発明で使用した装置では、ドリフト電圧をΔＶd変化させた場合、第二細孔の開口する電極に印加する電圧をおよそ（−（ΔＶd／２））変化させるとイオン強度が強く得られる。例えば、ドリフト電圧を１０ボルト増加させた場合には、第二細孔が開口する電極の電圧をおよそ５ボルト低くするとよい。このように、ドリフト電圧の変化量に係数（本発明の場合（−１／２））を掛けた分を同時に変化させる様に制御すれば、ドリフト電圧の最適化を簡便に行うことができる。本発明で用いた装置の場合、より具体的に表せば、第一細孔の開口する電極に印加する電圧の増加分、第２細孔の開口する電極に印加する電圧を下げればよい。
【００１３】
負イオンを分析する場合、上記に示した正イオンを分析する場合とは電圧の関係が逆になることは言うまでもない。この場合、第二細孔の開口する電極にはイオン取り込み口の開口するエンドキャップよりも高い電圧を印加する。すなわち第二細孔の開口する電極に印加する電圧をＶ、イオン取り込み口の開口するエンドキャップに印加する電圧をＶ’とした場合、Ｖ＞Ｖ’とすることで質量分析計へのイオンの入射エネルギーを低くし、イオンの閉じ込め効率を向上させることができる。
【００１４】
図４は、ＬＣとＭＳとを結合した装置（以下では、ＬＣ／ＭＳと記載する）において本発明を実施した形態を示す。ＬＣ７０は移動相溶液槽７１、送液ポンプ７２、試料導入器７３、分離カラム７４及び各々を接続する配管７５で構成されている。ポンプは一定流量で移動相を送液する。試料は、試料導入器７３から導入され、移動相とともに分離カラム７４に送られる。分離カラム７４内には充填剤が充填されている。試料は充填剤との相互作用により各々の成分別に分離される。分離された試料はイオン源に送られガス状のイオンに変換される。このようにして生成したイオンは、図１に示した方法と同様に分析される。本発明により、混合物のＬＣ／ＭＳ分析でも従来に比べて高い感度が達成できる。
【００１５】
本発明は、ＣＥなどの他の分離手段とＭＳとを結合した装置でも同様に有効である。
【００１６】
本発明は、図１や図４で示したような、大気圧下でイオンを生成する大気圧イオン化質量分析計において特に有効である。従って、本明細書に詳しく記載した静電噴霧法だけではなく、大気圧下での化学反応を利用した大気圧化学イオン化法、高速ガス流を用いたソニックスプレー法、溶液を加熱噴霧する大気圧スプレー法などのイオン化法を用いることができる。
【００１７】
【発明の効果】
本発明によれば、高いドリフト電圧を用いてもイオンを効率よくイオントラップ質量分析計に蓄積することができる。従って、高極性物質の分析に対して高いドリフト電圧を使用でき、その結果ぺプチドなどの高極性物質の検出感度が向上した。
【図面の簡単な説明】
【図１】本発明の一実施例である、第二細孔の開口する電極とイオン取り込み口の開口するエンドキャップとの間にイオンを減速する電位差を設ける質量分析計の構成を示す図である。
【図２】リング電極とゲート電極に印加される電圧の時間的な関係を１スキャン分示す図である。
【図３】本発明の効果を説明するためのグラフである。
【図４】本発明を液体クロマトグラフ・質量分析計結合装置において本発明を実施する形態を示す構成図である。
【図５】従来のイオントラップ質量分析計の構成を示す図である。
【符号の説明】
１……送液ポンプ、２…配管、３…金属管、４…第一細孔の開口する電極、５…第一細孔、６ａ、６ｂ…排気系、７…差動排気部、８…第二細孔、９…第二細孔の開口する電極、１０ａ、１０ｂ、１０ｃ…静電レンズ、１１…イオントラップ質量分析計、１２ａ、１２ｂ…エンドキャップ、１３…リング電極、１４…イオン取り込み口、１５…イオン排出口、１６…検出器、１７…ゲート電極、２０…真空部、２１…質量分析計内部、５０、５１、５２、５３、５４、５５、５６、５７、５８、５９…電源、７０…液体クロマトグラフ、７１…移動相溶液槽、７２…ポンプ、７３…試料導入器、７４…分離カラム、７５…配管、７６…コネクタ、８０…イオン源、１０１、１０２、１０３、１０４、１０５、１０６、１０７、１０８…静電レンズを構成する電極。
【図１】
0003651106.tif 000002
【図２】
0003651106.tif 000003
【図３】
0003651106.tif 000004
【図４】
0003651106.tif 000005
【図５】
0003651106.tif 000006